(57)【要約】【課題】従来の遊技盤裏の配線作業においては、配線同士がからまって作業がやりにくく、また、誤配線も生じ易いという課題があった。【解決手段】本発明の配線装置は、遊技機の制御基板１２に設けられた接続コネクタ１８と遊技機の電気部品側に設けられた接続コネクタ１６とを接続する配線１７を複数収容して、配線１７の一端１７ａ側を制御基板１２の接続コネクタ１８に導き、配線１７の他端１７ｂ側を電気部品側に設けられた接続コネクタ１６に導く筒体４より成るものとした。【選択図】　　　　図１
2004049273.tif 000002
【特許請求の範囲】
【請求項１】
遊技機の制御基板に設けられた接続コネクタと遊技機の電気部品側に設けられた接続コネクタとを接続する配線を複数収容して、配線の一端側を制御基板の接続コネクタに導き、配線の他端側を電気部品側に設けられた接続コネクタに導く筒体より成ることを特徴とする配線装置。
【請求項２】
配線の他端側を電気部品側に設けられた接続コネクタに導く配線導出口が複数設けられていることを特徴とする請求項１に記載の配線装置。
【請求項３】
制御基板に設けられた複数の接続コネクタの配設間隔に対応した間隔で筒体に複数の配線導出孔が形成されていることを特徴とする請求項１又は請求項２に記載の配線装置。
【請求項４】
筒体は、延長方向に沿って分割された一方の配線収容部とこの配線収容部に脱着可能な他方の蓋部とにより構成されていることを特徴とする請求項１ないし請求項３のいずれかに記載の配線装置。
【発明の詳細な説明】
【０００１】
【発明の属する技術分野】
本発明は、パチンコ機等の遊技機の配線装置に関する。
【０００２】
【従来の技術】
パチンコ機やスロットマシン等の遊技機において、例えばパチンコ機の遊技盤の裏側には、遊技機の遊技を全般的に制御するための主制御装置、遊技機の特別図柄表示器や普通図柄表示器等の図柄表示器を制御する図柄表示制御装置、遊技機の飾りランプ等の表示灯を制御する表示灯制御装置、遊技機の効果音等の音出力を制御する音制御装置、遊技機の球発射装置及び球払出装置を制御する球発射／球払出制御装置等の各副制御装置、電源装置等が配置されている。
図２に示すように、ゲージ盤と呼ばれる遊技盤１０の裏面１０Ｂには上側部品取付体１１が取付けられており、この上側部品取付体１１には、例えば上記主制御装置や副制御装置を構成するＩＣ等の電子部品が搭載された制御基板１２を収納した制御ボックス１３や中継基板１４が取付けられている。制御基板１２には、中継基板１４や図柄表示器１５の配線基板（図示せず）や表示灯等の電気部品の配線基板１４ａ等に設けられた接続コネクタ１６（例えば雄コネクタ）に配線１７で接続される複数の接続コネクタ１８（例えば雄コネクタ）が設けられている。また、例えば、中継基板１４に設けられた接続コネクタ１６と上記表示灯とは別の表示灯の配線基板１４ｂは、中継基板１４に形成された配線パターン及び接続線を介して半田等で接続されている。そして、制御基板１２に設けられる接続コネクタ１８と電気部品側に設けられた接続コネクタ１６は、上記接続コネクタ１８と接続コネクタ１６に接続される接続コネクタ２０，２０（例えば雌コネクタ）を両端に備えた信号線束から成る配線１７により接続される。配線１７は接続コネクタ２０の極数に対応した数の信号線より構成される。尚、２１は図柄始動入賞装置、２２は変動入賞装置、２３は電源等が取付けられる下側取付体、２４は遊技盤１０の表側の遊技領域の周りを装飾する装飾体である。
【０００３】
【発明が解決しようとする課題】
この様に、遊技盤１０の裏面１０Ｂには複数の接続コネクタ１６，１８や、制御基板１２，中継基板１４等が配置されており、これらを電気的に接続するための配線作業においては、配線１７同士がからまって作業がやりにくく、また、誤配線も生じ易いという課題があった。
【０００４】
【課題を解決するための手段】
本発明の配線装置は、遊技機の制御基板に設けられた接続コネクタと遊技機の電気部品側に設けられた接続コネクタとを接続する配線を複数収容して、配線の一端側を制御基板の接続コネクタに導き、配線の他端側を電気部品側に設けられた接続コネクタに導く筒体より成るものとした。これにより、複数の配線を筒内に収容できるので、配線作業を容易にできる。また、配線の他端側を電気部品側に設けられた接続コネクタに導く配線導出口を複数設けた。これにより、配線の他端側を所望の電気部品側の接続コネクタの近くまで導くことができる。また、制御基板に設けられた複数の接続コネクタの配設間隔に対応した間隔で筒体に複数の配線導出孔を形成したので、配線の一端側を制御基板の接続コネクタの近くまで導くことができ、配線の一端側の長さを短かくでき、また、複数の配線導出孔を接続コネクタに対する目印にできる。また、筒体を、延長方向に沿って二分割された一方の配線収容部とこの配線収容部に脱着可能な他方の蓋部とにより構成すれば、配線の交換が容易になる。
【０００５】
【発明の実施の形態】
図１に基づいて配線装置を説明する。尚、図２と同一又は相当部分は同一符号を付してその詳説を省略する。１は実施形態による配線装置であり、この配線装置１は、延長方向に沿って分割された一方の配線収容部２とこの断面コ字状に形成された樋状の配線収容部２に脱着可能な他方の蓋部３とで構成された筒体４により構成されており、制御基板１２に設けられた複数の接続コネクタ１８と複数の電気部品側に設けられた接続コネクタ１６（例えば、中継基板１４に設けられた接続コネクタ１６や他の電気部品の配線基板等に設けられた接続コネクタ等）とを接続する配線１７を複数収容して、配線１７の一端１７ａ側を制御基板１２の接続コネクタ１８に導き、配線１７の他端１７ｂ側を電気部品側に設けられた接続コネクタ１６に導くものである。ここでは、幹部１Ａとこの幹部１Ａより延長する枝部１Ｂとを有する「ト字形状」に形成された配線装置１を示している。
【０００６】
幹部１Ａの配線収容部２の一側壁２ｂには、制御基板１２に設けられた複数の接続コネクタ１８の配設間隔に対応した間隔で複数の配線導出孔２ａが形成されている。また、配線１７の他端１７ｂ側を電気部品側に設けられた接続コネクタ１６に導く複数の配線導出口１ｔ，１ｓが設けられている。よって、この各配線導出孔２ａより導出するように各配線１７の一端１７ａ側をセットするとともに、各配線の他端１７ｂ側は幹部１Ａの上端開口である配線導出口１ｔや枝部１Ｂの先端開口である配線導出口１ｓより導出させて蓋部３を閉めればよい。蓋部３は、「ト字形状」に形成された平板の両側から係止片５が設けられ、この係止片５が配線収容部２の両側壁（幹部１Ａの２ｂ，２ｃ及び枝部１Ｂの２ｄ，２ｅ）に形成された係止孔６，６に係止して取付けられる。
【０００７】
例えば、配線装置１の配線収容部２を予め図柄表示器１５の裏側にテープ等で仮止めしておき、配線１７の一端１７ａ側の接続コネクタ２０を制御基板１２の接続コネクタ１８に接続して配線１７を配線収容部２内に沿わせながら他端１７ｂ側を接続したい電気部品側に近い配線導出口１ｔ，１ｓより導出させ、他端１７ｂ側を所望の電気部品側の接続コネクタ１６に接続する。すべての配線接続が終了したら蓋部３を取付ける。
【０００８】
以上により、配線作業時に配線１７を配線収容部２に収めておけるので、配線１７同士がからまることなく、配線作業が容易になる。また、誤配線の可能性も少なくなる。また、幹部１Ａの配線収容部２の一側壁２ｂには、制御基板１２に設けられた複数の接続コネクタ１８の配設間隔に対応した間隔を隔てて形成された複数の配線導出孔２ａを備えており、配線１７の一端１７ａ側を接続コネクタ１８の近くまで導くことができるので、配線導出孔２ａから導出させる配線１７の一端１７ａ側の長さを短かくでき、また、各配線導出孔２ａを各接続コネクタ１８に対する目印にできるので、配線作業の作業性を向上できる。また、配線１７の他端１７ｂ側を電気部品側に設けられた接続コネクタ１６に導く複数の配線導出口１ｔ，１ｓを設けたので、配線１７の他端１７ｂ側を所望の電気部品側の接続コネクタ１６の近くまで導くことができ、配線作業が容易になる。また、蓋部３を備えるので、配線１７の交換を容易にでき、また、配線装置１を透明にすれば、配線処理の確認も容易にできる。
【０００９】
また、予め配線装置１の配線収容部２に配線１７を複数収容しておいてからこれを遊技盤１０の裏側に位置させ、接続を行うようにしてもよい。この場合、配線１７の他端１７ｂ側の誤接続を防止するために接続対象の名前を付した名札等を付けておくことが好ましい。
【００１０】
尚、配線装置１を完全な筒体（配線収容部２と蓋部３とに分割されていない筒体）より構成してもよい。また、配線導出孔２ａ、配線導出口１ｔ，１ｓはそれぞれ１つでもよい。以上の場合でも、複数の配線１７が筒内に収容されるので、配線作業を容易にできる。また、上記では「ト字形状」に形成された配線装置１を示したが、形状は特に問わず、複数の配線１７を収容する直線状の筒体で配線装置１を構成してもよい。
【図面の簡単な説明】
【図１】本発明の実施形態による配線装置を示す図。
【図２】制御基板と電気部品間の配線がなされる従来の遊技盤の裏側を示す図。
【符号の説明】
１　配線装置、１ｔ，１ｓ　配線導出口、２　配線収容部、２ａ　配線導出孔、３　蓋部、４　筒体、１２　制御基板、１６，１８，２０　接続コネクタ、
１７　配線、１７ａ　配線の一端、１７ｂ　配線の他端。
【図１】
2004049273.tif 000003
【図２】
2004049273.tif 000004